(57)【要約】【課題】コストを削減するとともに、小型化できる洗車機を提供する。【解決手段】被洗浄車両ＣＡに対して前後方向に相対移動する洗車機本体１と、洗車機本体１に設けられる移動機構３５によって被洗浄車両ＣＡに対して所定方向に往復移動して被洗浄車両ＣＡの洗浄または乾燥を行う可動体４１とを備え、被洗浄車両ＣＡの洗車を行う洗車機ＷＡにおいて、移動機構３５が、可動体４１を回転自在に支持する支持部材４２と、一対のスプロケット４８、４９と、スプロケット４８、４９に巻回して無限軌道を形成するとともに支持部４２材が取り付けられるチェーン５０とを有し、チェーン５０のピッチ線と支持部材４２に対向する可動体４１の回転軸４２ａとの距離ｄがスプロケット４８、４９のピッチ円の半径Ｒに一致し、チェーン５０の一方向の周回によって可動体４１が往復移動する。【選択図】図４
2015147488.tif 000002
【特許請求の範囲】
【請求項１】
被洗浄車両に対して前後方向に相対移動する洗車機本体と、前記洗車機本体に設けられる移動機構によって被洗浄車両に対して所定方向に往復移動して被洗浄車両の洗浄または乾燥を行う可動体とを備え、被洗浄車両の洗車を行う洗車機において、
前記移動機構が、前記可動体を回転自在に支持する支持部材と、一対のスプロケットと、前記スプロケットに巻回して無限軌道を形成するとともに前記支持部材が取り付けられるチェーンとを有し、
前記チェーンのピッチ線と前記支持部材に対向する前記可動体の回転軸との距離が前記スプロケットのピッチ円の半径に一致し、前記チェーンの一方向の周回によって前記可動体が往復移動することを特徴とする洗車機。
【請求項２】
前記可動体を両方の前記スプロケットの回転中心を結ぶ中心線に平行な方向に案内するガイド部材を備えたことを特徴とする請求項１に記載の洗車機。
【請求項３】
前記回転軸が水平に配され、前記可動体が自重によって前記支持部材から垂下されることを特徴とする請求項１または請求項２に記載の洗車機。
【請求項４】
前記チェーンが隣接する内リンクを外リンクにより連結して形成され、一の前記外リンクに前記支持部材を取り付けたことを特徴とする請求項１〜請求項３のいずれかに記載の洗車機。
【請求項５】
前記可動体が空気を送出して被洗浄車両を乾燥させる送風ノズルから成ることを特徴とする請求項１〜請求項４のいずれかに記載の洗車機。
【請求項６】
前記洗車機本体の天井部に複数の前記移動機構が左右方向に並設され、各前記移動機構にそれぞれ設けられる前記送風ノズルが独立に左右方向に往復移動することを特徴とする請求項５に記載の洗車機。
【請求項７】
前記可動体が液体を噴射して被洗浄車両を洗浄する噴射ノズルから成ることを特徴とする請求項１〜請求項４のいずれかに記載の洗車機。
【請求項８】
前記可動体が被洗浄車両に対して回転摺動して洗浄を行う回転ブラシから成ることを特徴とする請求項１〜請求項４のいずれかに記載の洗車機。
【発明の詳細な説明】
【技術分野】
【０００１】
本発明は、送風ノズル等の可動体を往復移動させる移動機構を備えた洗車機に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
天井部には被洗浄車両の上面に洗浄水を噴射する噴射ノズルを左右方向に移動させる移動機構が設けられる。スタンド部には被洗浄車両の側面に洗浄水を噴射する噴射ノズルを上下方向に移動させる天井部と同様の移動機構が設けられている。
【０００４】
移動機構は噴射ノズルが取り付けられる台車と台車を走行案内するレールとを備えている。台車は一対のスプロケット間に巻回されるチェーン等に取り付けられ、一方のスプロケットにはモータが連結される。また、レール上の両端部には台車の走行範囲を規制するリミットスイッチが設けられる。
【０００５】
上記構成の洗車機において、ユーザが洗車条件を設定すると、洗車機本体が被洗浄車両に対して前後方向に移動する。移動機構のモータが駆動されると台車がレール上を移動しながら噴射ノズルから洗浄水が噴射される。この時、レール上の両端部のリミットスイッチにより台車が検知されると、モータが反転して台車が往復移動する。これにより、台車に配される噴射ノズルが所定範囲を往復移動して被洗浄車両が洗浄される。
【先行技術文献】
【特許文献】
【０００６】
【特許文献１】特開平１０−６７３０４  号公報
【発明の概要】
【発明が解決しようとする課題】
【０００７】
しかしながら、上記従来の洗車機によると、噴射ノズルを往復移動させる移動機構が台車の走行範囲を規制する複数のリミットスイッチを必要とする。また、各リミットスイッチが誤検知した際に台車のオーバーランを検知するストッパを更に両外側に設ける必要もある。
【０００８】
このため、洗車機のコストが大きくなる問題があった。また、台車の往復移動範囲よりも外側に一対のスプロケットが配置されるため、移動機構及びそれを備えた洗車機が大型になる問題もあった。
【０００９】
本発明は、コストを削減するとともに、小型化できる洗車機を提供することを目的とする。
【課題を解決するための手段】
【００１０】
上記目的を達成するために本発明は、被洗浄車両に対して前後方向に相対移動する洗車機本体と、前記洗車機本体に設けられる移動機構によって被洗浄車両に対して所定方向に往復移動して被洗浄車両の洗浄または乾燥を行う可動体とを備え、被洗浄車両の洗車を行う洗車機において、前記移動機構が、前記可動体を回転自在に支持する支持部材と、一対のスプロケットと、前記スプロケットに巻回して無限軌道を形成するとともに前記支持部材が取り付けられるチェーンとを有し、前記チェーンのピッチ線と前記支持部材に対向する前記可動体の回転軸との距離が前記スプロケットのピッチ円の半径に一致し、前記チェーンの一方向の周回によって前記可動体が往復移動することを特徴とする。
【００１１】
また、本発明は上記構成の洗車機において、前記可動体を両方の前記スプロケットの回転中心を結ぶ中心線に平行な方向に案内するガイド部材を備えたことを特徴とする。
【００１２】
また、本発明は上記構成の洗車機において、前記回転軸が水平に配され、前記可動体が自重によって前記支持部材から垂下されることを特徴とする。
【００１３】
また、本発明は上記構成の洗車機において、前記チェーンが隣接する内リンクを外リンクにより連結して形成され、一の前記外リンクに前記支持部材を取り付けたことを特徴とする。
【００１４】
また、本発明は上記構成の洗車機において、前記可動体が空気を送出して被洗浄車両を乾燥させる送風ノズルから成ることを特徴とする。
【００１５】
また、本発明は上記構成の洗車機において、前記洗車機本体の天井部に複数の前記移動機構が左右方向に並設され、各前記移動機構にそれぞれ設けられる前記送風ノズルが独立に左右方向に往復移動することを特徴とする。
【００１６】
また、本発明は上記構成の洗車機において、前記可動体が液体を噴射して被洗浄車両を洗浄する噴射ノズルから成ることを特徴とする。
【００１７】
また、本発明は上記構成の洗車機において、前記可動体が被洗浄車両に対して回転摺動して洗浄を行う回転ブラシから成ることを特徴とする。
【発明の効果】
【００１８】
本発明によると、支持部材を取り付けたチェーンのピッチ線と支持部材に回転自在に支持される可動体の回転軸との距離がスプロケットのピッチ円の半径に一致し、チェーンの一方向の周回によって可動体が往復移動する。従って、洗車機のコストを削減するとともに小型化を図ることができる。
【図面の簡単な説明】
【００１９】
【図１】本発明の実施形態の洗車機を示す側面図
【図２】本発明の実施形態の洗車機を示す正面図
【図３】本発明の実施形態の洗車機の移動機構の要部を示す正面図
【図４】本発明の実施形態の洗車機の移動機構の側面断面図
【図５】本発明の実施形態の洗車機の移動機構の支持部材の正面図
【図６】本発明の実施形態の洗車機の移動機構の支持部材の上面図
【図７】本発明の実施形態の洗車機の移動機構の支持部材の側面図
【発明を実施するための形態】
【００２０】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル７Ａを備えている。洗車機本体１は左右の対向する２つのスタンド部９０と、スタンド部９０の上端を連結する天井部９１とを有した門型に形成される。
【００２１】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２２】
リモートパネル７Ａは洗車機本体１の進入経路Ｓ上に配される。被洗浄車両ＣＡはリモートパネル７Ａの面前で停車し、ユーザは被洗浄車両ＣＡ内からリモートパネル７Ａの操作によって洗車条件の設定を行う。
【００２３】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００２４】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２５】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２６】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、洗車機本体１の走行範囲の位置が決められる。
【００２７】
洗車機本体１の一方のスタンド部９０の前面には操作パネル７が配される。操作パネル７は洗車条件を設定するリモートパネル７Ａと同様の操作ボタン（不図示）を備えている。
【００２８】
洗車機本体１には被洗浄車両ＣＡ上に摺動して駆動モータ（不図示）により回転してブラッシングするトップブラシ４、サイドブラシ５及びロッカーブラシ６が設けられている。トップブラシ４は天井部９１に設けられ、被洗浄車両ＣＡの上面に沿って移動して被洗浄車両ＣＡの上面を洗浄する。サイドブラシ５は左右のスタンド部９０に設けられ、被洗浄車両ＣＡの両側面を洗浄する。ロッカーブラシ６は左右のスタンド部９０の下部に設けられ、被洗浄車両ＣＡの両側面の下部を洗浄する。
【００２９】
洗車機本体１には気流を発生して被洗浄車両ＣＡを乾燥させるブロア２０が設けられる。ブロア２０にはサイド送風ノズル２２及びトップ送風ノズル４１が接続される。サイド送風ノズル２２は洗車機本体１の両側部にそれぞれ設けられ、被洗浄車両ＣＡの側面に向けて送風する。
【００３０】
トップ送風ノズル４１は天井部９１に配される移動機構３５により左右方向に往復移動し、被洗浄車両ＣＡの上面に向けて送風する。サイド送風ノズル２２及びトップ送風ノズル４１の送風によって被洗浄車両ＣＡを乾燥させることができる。
【００３１】
天井部９１の下部には複数の移動機構３５が左右方向に並設され、往復移動する可動体であるトップ送風ノズル４１をそれぞれ有している。図３、図４は移動機構３５の正面図及び側面断面図を示している。移動機構３５は天井部９１に鉛直に配した取付板９１ａ上に設けられる。取付板９１ａには背面側を開放した断面コ字状に形成されるとともに移動機構３５を覆うハウジング４７が取り付けられる。
【００３２】
ハウジング４７内の左右端には取付板９１ａに回転自在に取り付けられる一対のスプロケット４８、４９が配される。一方のスプロケット４８はモータ（不図示）により回転駆動される。スプロケット４８、４９には無限軌道を形成するチェーン５０が巻回される。チェーン５０には支持部材４２が取り付けられる。
【００３３】
図５〜図７は支持部材４２の取付状態を示す正面図、上面図及び側面図である。チェーン５０は交互に配される外リンク５０ａ及び内リンク５０ｂにピン５０ｃを挿通し、隣接する内リンク５０ｂが外リンク５０ａにより連結される。支持部材４２は一の外リンク５０ａに挿通されるピン５０ｃを軸方向に延設し、正面形状が五角形の支持部材４２がピン５０ｃを介して外リンク５０ａに取り付けられる。支持部材４２の下部には断面円形のボス４２ｂが設けられる。
【００３４】
図３、図４において、ボス４２ｂはトップ送風ノズル４１に一体に設けられる取付部４６が嵌合して取付部４６を回転自在に支持し、トップ送風ノズル４１の回転軸４２ａを形成する。この時、チェーン５０のピッチ線と回転軸４２ａとの距離ｄがスプロケット４８、４９のピッチ円の半径Ｒに一致するように形成される。取付部４６はハウジング４７の下面に左右方向に延びて設けられる開口部４７ａに挿通され、トップ送風ノズル４１がハウジング４７の下方に配される。
【００３５】
また、ハウジング４７の前壁の内面４７ｂには両方のスプロケット４８、４９の回転中心を結ぶ中心線Ｃに平行に延びたガイド部材４５が取り付けられる。取付部４６の前面にはガイド部材４５に嵌合する凹部４６ｂを設けた嵌合部材４６ａが取り付けられる。ガイド部材４５と嵌合部材４６ａとの摺動によって取付部４６と一体のトップ送風ノズル４１が中心線Ｃに平行な左右方向に案内される。
【００３６】
モータの駆動によりスプロケット４８が回転するとチェーン５０が一方向に周回する。これにより、支持部材４２と一体のトップ送風ノズル４１がガイド部材４５の案内により、例えば、左方に移動する。チェーン５０のピッチ線と回転軸４２ａとの距離ｄがスプロケット４８、４９のピッチ円の半径Ｒに一致するため、支持部材４２の移動によって回転軸４２ａは左方のスプロケット４８の回転中心上に配置される。
【００３７】
更にチェーン５０が周回すると、トップ送風ノズル４１の位置を保持して支持部材４２がスプロケット４８上で１８０゜回転した後、支持部材４２及びトップ送風ノズル４１が右方に移動する。そして、右方のスプロケット４９上で同様に支持部材４２が１８０゜回転する。従って、チェーン５０の一方向の周回によってトップ送風ノズル４１が往復移動する。この時、トップ送風ノズル４１の往復移動範囲はスプロケット４８、４９の回転中心間の距離Ｌに一致し、移動機構３５を小型化することができる。
【００３８】
尚、トップ送風ノズル４１は回転軸４２ａを水平に配して支持部材４２に対して自重により垂下される。このため、ガイド部材４５を省いても移動機構３５によりトップ送風ノズル４１を往復移動させることができる。しかしながら、ガイド部材４５を設けると、可動体であるトップ送風ノズル４１の揺動を防止できるためより望ましい。
【００３９】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。
【００４０】
洗車条件を設定した後、ユーザは所定の洗浄開始位置まで被洗浄車両ＣＡを移動させる。そして、洗車機本体１が前後方向に移動して被洗浄車両ＣＡを跨ぎ、トップブラシ４、サイドブラシ５による洗浄が行われる。
【００４１】
その後、サイド送風ノズル２２及びトップ送風ノズル４１から被洗浄車両ＣＡに向けて空気を送風して被洗浄車両ＣＡを乾燥させる。この時、それぞれのトップ送風ノズル４１は独立して左右方向に往復移動して空気を送風する。
【００４２】
本実施形態によると、チェーン５０のピッチ線とトップ送風ノズル４１（可動体）の回転軸４２ａとの距離ｄがスプロケット４８、４９のピッチ円の半径Ｒに一致し、チェーン５０の一方向の周回によってトップ送風ノズル４１が往復移動する。これにより、従来のようなリミットスイッチが不要となるため洗車機１のコストを削減することができる。
【００４３】
また、トップ送風ノズル４１の往復移動範囲がスプロケット４８、４９の回転中心間の距離Ｌとなるため、移動機構３５を小型化して洗車機１の小型化を図ることができる。加えて、スプロケット４８を駆動するモータを繰り返し反転させる必要がないため、モータの故障の発生を低減することができる。
【００４４】
また、トップ送風ノズル４１をスプロケット４８、４９の回転中心を結ぶ中心線Ｌ１に平行な方向に案内するガイド部材４５を備えたため、トップ送風ノズル４１の揺動を防止することができる。尚、可動体であるトップ送風ノズル４１の回転軸４２ａ及びスプロケット４８、４９の回転軸を鉛直に配してもよい。この時、ガイド部材４５によってスプロケット４８、４９上におけるトップ送風ノズル４１及び支持部材４２の一体回転を防止することができる。従って、トップ送風ノズル４１を確実に往復移動させることができる。
【００４５】
また、回転軸４２ａが水平に配され、トップ送風ノズル４１が自重によって支持部材４２から垂下されるため、トップ送風ノズル４１を往復移動させる移動機構３５を容易に実現することができる。
【００４６】
また、チェーン５０が隣接する内リンク５０ｂを外リンク５０ａにより連結して形成され、一の外リンク５０ａに支持部材４２を取り付けたため、チェーン５０を一体に周回してトップ送風ノズル４１を回転自在に支持する支持部材４２を容易に形成することができる。
【００４７】
また、可動体が空気を送出して被洗浄車両ＣＡを乾燥させるトップ送風ノズル４１から成るため、移動機構３５を容易に実現できる。
【００４８】
また、洗車機本体１の天井部９１に複数の移動機構３５が左右方向に並設され、移動機構３５にそれぞれ設けられるトップ送風ノズル４１が独立に左右方向に往復移動するため、被洗浄車両ＣＡの天井面を容易に乾燥させることができる。
【００４９】
本実施形態において、移動機構３５により左右方向に往復移動する可動体がトップ送風ノズル４１から成るが、他の可動体を往復移動させてもよい。例えば、サイド送風ノズル２２を同様の移動機構３５によって上下方向に往復移動させてもよい。サイド送風ノズル２２やロッカーブラシ６等の回転ブラシを同様の移動機構３５によって上下方向に往復移動させてもよい。また、第１、第２浄水ノズル１１、１３、第１、第２洗剤ノズル１２、１５、撥水コートノズル１４、ワックスノズル１６等の液体の噴射ノズルを同様の移動機構３５によって左右方向に往復移動させてもよい。
【産業上の利用可能性】
【００５０】
本発明によると、送風ノズル等の可動体を往復移動させる移動機構を備えた洗車機に利用することができる。
【符号の説明】
【００５１】
１    洗車機本体
２    レール
３    車輪
４    トップブラシ
５    サイドブラシ
６    ロッカーブラシ
７    操作パネル
１４    撥水コートノズル
１６    ワックスノズル
２０    ブロア
２２    サイド送風ノズル
３０    タンク収納部
３１    分配配管部
３５    移動機構
４１    トップ送風ノズル（可動体）
４２    支持部材
４２ａ  回転軸
４２ｂ  ボス
４４  リンク部
４５    ガイド部材
４６    取付部
４６ａ  嵌合部材
４６ｂ  凹部
４７    ハウジング
４７ａ  開口部
４７ｂ  内面
４８    スプロケット
４９    スプロケット
５０    チェーン
５０ａ  外リンク
５０ｂ  内リンク
５０ｃ  ピン
９０    スタンド部
９１    天井部
９１ａ  取付板
Ｃ      中心線
ＣＡ    被洗浄車両
ＣＡ１  車輪
ＣＡ２  ホイール
Ｌ１    中心線
Ｗ      洗浄水
ＷＡ    洗車機
【図１】
2015147488.tif 000003
【図２】
2015147488.tif 000004
【図３】
2015147488.tif 000005
【図４】
2015147488.tif 000006
【図５】
2015147488.tif 000007
【図６】
2015147488.tif 000008
【図７】
2015147488.tif 000009